(57)【要約】【課題】複数世帯で１台の貯湯式給湯機を共用できる給湯分配装置を提供する。【解決手段】１台の貯湯式給湯機４から複数世帯Ａ、Ｂに分岐された給湯経路９にそれぞれ設けられた複数組の流量センサ１１Ａ、１１Ｂおよび電磁弁１２Ａ、１２Ｂと、前記複数の流量センサ１１の検出する流量をそれぞれ個別に積算する複数の使用湯量積算部１４Ａ、１４Ｂを有し、前記使用湯量積算部１４が所定の使用限度湯量を積算すると、使用限度湯量を積算した流量センサ１１と組みの前記電磁弁１２を閉じるようにした制御部１３とを備えた。【選択図】  図１
2004340457.tif 000002
【特許請求の範囲】
【請求項１】
１台の貯湯式給湯機から複数世帯に分岐された給湯経路にそれぞれ設けられた複数組の流量センサおよび電磁弁と、前記複数の流量センサの検出する流量をそれぞれ個別に積算する複数の使用湯量積算部を有し、前記使用湯量積算部が所定の使用限度湯量を積算すると、使用限度湯量を積算した流量センサと組みの前記電磁弁を閉じるようにした制御部とを備えたことを特徴とする貯湯式給湯機の給湯分配装置。
【請求項２】
前記使用湯量積算部は、毎日定刻にリセットされるようにしたことを特徴とする請求項１記載の貯湯式給湯機の給湯分配装置。
【請求項３】
各世帯毎に前記制御部に接続された表示器を設け、この表示器が設けられた世帯に対応する使用湯量積算部の積算湯量を表示する湯量表示部を設けたことを特徴とする請求項２記載の貯湯式給湯機の給湯分配装置。
【請求項４】
各世帯毎に前記制御部に接続された表示器を設け、この表示器が設けられた世帯に対応する前記電磁弁を閉止したことを表示する停止表示部を設けたことを特徴とする請求項２記載の貯湯式給湯機の給湯分配装置。
【請求項５】
前記表示器に、この表示器が設けられた世帯に対応する前記流量積算部が前記使用限度湯量未満の所定の警告湯量を積算すると警告表示を行う警告表示部を設けたことを特徴とする請求項４記載の貯湯式給湯機の給湯分配装置。
【請求項６】
前記制御部に、前記所定の使用限度湯量を変更する使用限度湯量変更手段を設けたことを特徴とする請求項１記載の貯湯式給湯機の給湯分配装置。
【請求項７】
前記表示器に追加給湯スイッチを設け、この追加給湯スイッチが操作されると前記制御部は、使用限度湯量を一定量増加して前記貯湯式給湯機に所定の沸き増し動作を行わせるようにしたと共に、この表示器が設けられた世帯に対応する前記電磁弁が閉じている場合にはこの電磁弁を開くようにしたことを特徴とする請求項３から５の何れかに記載の貯湯式給湯機の給湯分配装置。
【発明の詳細な説明】
【０００１】
【発明の属する技術分野】
本発明は、集合住宅等の複数世帯に対し１台の貯湯式給湯機から給湯を分配する給湯分配装置に関するものである。
【０００２】
【従来の技術】
従来より、アパートやマンション等の集合住宅においては、１つの世帯に対し１台の貯湯式給湯機（深夜電力により湯を沸かし上げる電気温水器やヒートポンプ給湯機等）が設けられていたものであった。このような貯湯式給湯機としては例えば特許文献１が挙げられる。
【０００３】
【特許文献１】特開平５−５５５８号公報
【０００４】
【発明が解決しようとする課題】
しかし、この従来のものでは集合住宅の世帯数分の貯湯式給湯機が必要となり、設備コストが多額となってしまう欠点があるため、複数世帯で１台の貯湯式給湯機を共用するようにすれば設備コストを下げることができる。
【０００５】
ところが、この種の貯湯式給湯機は深夜電力や時間帯別契約電力により１日分のお湯を夜間に沸き上げるようにしているため、共用している一方の世帯がお湯を多量に使ってしまうと他方の世帯で使えるお湯の量が少なくなってしまうという問題があった。
【０００６】
【課題を解決するための手段】
そこで、本発明はこの課題を解決するために、請求項１では、１台の貯湯式給湯機から複数世帯に分岐された給湯経路にそれぞれ設けられた複数組の流量センサおよび電磁弁と、前記複数の流量センサの検出する流量をそれぞれ個別に積算する複数の使用湯量積算部を有し、前記使用湯量積算部が所定の使用限度湯量を積算すると、使用限度湯量を積算した流量センサと組みの前記電磁弁を閉じるようにした制御部とを備えたものとした。
【０００７】
これにより、一方の世帯が使用限度湯量の給湯をした時点でこの世帯の給湯経路に設けられた電磁弁が閉じられることとなり、各世帯で使用限度湯量以上に湯を使うことを防ぎ、一方の世帯が多量に給湯したことにより他方の世帯が給湯できる湯量が少なくなってしまうことを防止することができ、１台の貯湯式給湯機を複数世帯で公平に使用することが可能となる。
【０００８】
また、請求項２では、前記使用湯量積算部は、毎日定刻にリセットされるようにしたものである。
【０００９】
これにより、使用湯量が毎日リセットされることとなり、一度使用限度湯量の給湯をしたとしても、翌日には使用湯量積算部がリセットされて電磁弁が開いて給湯を行うことができる。なお、毎日定刻にリセットさせるための手段としては、前記制御部に時計あるいは２４時間タイマを設けても良いし、貯湯式給湯機の時刻信号を制御部に取り込むようにしても可能である。
【００１０】
また、請求項３では、各世帯毎に前記制御部に接続された表示器を設け、この表示器が設けられた世帯に対応する使用湯量積算部の積算湯量を表示する湯量表示部を設けたものである。
【００１１】
これにより、各世帯では現在の使用湯量が湯量表示部にて確認可能で、使用者が計画的に給湯することの助けとなる。
【００１２】
また、請求項４では、各世帯毎に前記制御部に接続された表示器を設け、この表示器が設けられた世帯に対応する前記電磁弁を閉止したことを表示する停止表示部を設けたものである。
【００１３】
これにより、使用限度湯量を給湯して電磁弁が閉じられているために給湯することができないことを使用者に知らせることができる。なお、閉止したことを表示することは、電磁弁が開放していることを表示することと同義である。
【００１４】
また、請求項５では、前記表示器に、この表示器が設けられた世帯に対応する前記流量積算部が前記使用限度湯量未満の所定の警告湯量を積算すると警告表示を行う警告表示部を設けたものである。
【００１５】
これにより、使用湯量が使用限度湯量未満の所定の警告湯量に達すると警告表示が行われるので、もうすぐ使用湯量が使用限度湯量になることを使用者に知らせることができる。
【００１６】
また、請求項６では、前記制御部に、前記所定の使用限度湯量を変更する使用限度湯量変更手段を設けたものである。
【００１７】
これにより、貯湯式給湯機の貯湯容量が異なる複数の種類のものにも使用限度湯量変更手段の設定を変更することで対応することが可能となる。
【００１８】
また、請求項７では、前記表示器に追加給湯スイッチを設け、この追加給湯スイッチが操作されると前記制御部は、使用限度湯量を一定量増加して前記貯湯式給湯機に所定の沸き増し動作を行わせるようにしたと共に、この表示器が設けられた世帯に対応する前記電磁弁が閉じている場合にはこの電磁弁を開くようにしたものである。
【００１９】
これにより、来客等により多量のお湯を使用する場合には、追加給湯スイッチを操作することにより使用限度湯量が一定量増加され、その日に使える湯量を使用限度湯量以上に増加させることができ、同時に貯湯式給湯機に所定の沸き増し動作を行わせるので、追加給湯スイッチを操作していない世帯分の湯量を確実に確保することができる。さらに、一度使用限度湯量を給湯しきって電磁弁が閉じられていた場合は、この電磁弁を開いて給湯可能な状態に復帰させるものである。
【００２０】
【発明の実施の形態】
次に、本発明の一実施形態を図面に基づいて説明する。
１は湯水を貯湯する貯湯タンク２を有した貯湯タンクユニット、３は湯水を沸き上げる加熱手段としてのヒートポンプユニットであり、この貯湯タンクユニット１とヒートポンプユニット３によって貯湯式給湯機４が構成され、時間帯別契約電力に接続されて夜間に貯湯タンク２内の湯水を沸き上げるよう給湯機制御部５にて制御されるものである。
【００２１】
前記貯湯タンクユニット１には、貯湯タンク２から出湯される湯と貯湯タンク２をバイパスする給水とを混合する混合弁６が設けられ、この混合弁６が前記給湯機制御部５により混合比率を調整して固定温度（例えば６０℃）の湯を給湯管７から給湯するようにしている。
【００２２】
８は各世帯Ａ、Ｂに設置された出湯栓であり、貯湯式給湯機１から各世帯Ａ、Ｂに分岐された給湯経路９Ａ、９Ｂの終端に設けられているものである。
【００２３】
１０は１台の貯湯式給湯機から複数世帯に給湯を分配する給湯分配装置であり、各世帯Ａ、Ｂに分岐された給湯経路９Ａ、９Ｂにそれぞれ流量センサ１１Ａ、１１Ｂ、および常開の電磁弁１２Ａ、１２Ｂが組みになって設けられている。
【００２４】
１３はこの給湯分配装置１０の制御部で、各流量センサ１１Ａ、１１Ｂの検出する流量をそれぞれ個別に積算する使用湯量積算部１４Ａ、１４Ｂを有し、使用湯量積算部１４が所定の使用限度湯量を積算すると、対応する電磁弁１２を閉じるようにしているものである。ここで、例えば前記貯湯式給湯機１の貯湯タンク２の容量が３００Ｌで、分配する世帯数が２世帯だとすると、１世帯当たりの使用限度湯量は１５０Ｌづつとなる。
【００２５】
ここで、世帯Ａが使用限度湯量の給湯を行った場合、その使用限度湯量まで給湯した世帯Ａに対応する電磁弁１２Ａが閉じられてそれ以上給湯を不可能とし、世帯Ｂに対応する電磁弁１２Ｂは開いたままで世帯Ｂは使用限度湯量まで給湯が可能なものであり、貯湯タンク２の容量が固定であるため一方の世帯が多量に給湯を行うことで他方の世帯が給湯できる湯量が少なくなってしまうことを防止でき、１台の貯湯式給湯機を複数世帯で公平に使用することが可能となる。
【００２６】
次に、１５Ａ、１５Ｂは各世帯Ａ、Ｂにそれぞれ設けられた表示器で、前記制御部１３と接続され、この表示器１５が設けられた世帯に対応する使用湯量積算部１４の積算湯量を数値で表示する湯量表示部１６が設けられていると共に、使用湯量積算部１４が使用限度湯量未満の湯量を積算しているときは点灯し、使用限度湯量未満の所定の警告湯量を積算すると点滅表示し、使用限度湯量を積算して電磁弁１２が閉じられると消灯されるＬＥＤランプよりなる警告表示部１７兼停止表示部１８が設けられている。
【００２７】
ここで、世帯Ａ側での作動を説明すると、表示器１５Ａの湯量表示部１６Ａには現在までの使用量が表示されるので、使用者が計画的に給湯することの助けとでき、そして、使用量積算部１４Ａが使用限度湯量未満の警告湯量を積算すると対応する警告表示部１７Ａを兼ねるＬＥＤランプが点滅され、もうすぐ使用湯量が使用限度湯量になることを使用者が知ることができ、さらに、使用限度湯量を積算すると対応する電磁弁１２Ａが閉じられると同時に停止表示部１８Ａを兼ねるＬＥＤランプランプが消灯され、使用限度湯量を給湯し終わり電磁弁１２Ａが閉じられているために給湯することができないことを使用者が知ることができ、故障による給湯停止と区別することが可能である。
【００２８】
なお、このとき世帯Ｂでは、使用量が使用限度湯量に達していない状態では、電磁弁１２Ｂは閉じられることはなく、世帯Ａが使用限度湯量まで給湯していても世帯Ｂ分のお湯は貯湯タンク２内に確保されているので使用限度湯量までは給湯可能となるものである。以上、世帯Ａ側での作動について説明したが、世帯Ｂでも同様な作動が行われることは述べるまでもない。
【００２９】
次に、前記給湯分配装置１０の制御部１３は前記給湯制御部５と通信可能に接続されており、使用量積算部１４は給湯制御部５が備えている時計機能により毎日定刻に積算した湯量をリセットされるように構成され、使用量積算部１４がリセットされることにより毎日使用限度湯量の給湯を行えるようにしていると共に、一度使用限度湯量の給湯をして電磁弁１２が閉じられていても、定刻になればリセットされて電磁弁１２が開かれて新たに使用湯量がゼロの状態から給湯を行うことができる。
【００３０】
次に、１９は前記制御部１３に設けられている使用限度湯量変更手段で、電磁弁１２を閉じるための使用限度湯量を設定変更するもので、ここでは基板上に設けられた複数のＤＩＰスイッチから構成されているものである。
【００３１】
この一実施形態の給湯分配装置１０は、貯湯容量が異なる複数種類の貯湯式給湯装置４に対応し得るように前記使用限度湯量変更手段１９の設定を変更することで、４６０Ｌタンクの貯湯式給湯装置に対応すべく使用限度湯量を２３０Ｌに変更可能としている。また、この使用限度湯量変更手段１９は給湯が分配される各世帯の使用者の目に付かない制御部１３の基板上に設けるようにしているので、各世帯の使用者によって簡単に変更されることを防いでいるものである。
【００３２】
次に、２０Ａ、２０Ｂは前記表示器１５Ａ、１５Ｂにそれぞれ設けられた追加給湯スイッチで、前記制御部１３はこの追加給湯スイッチ２０が操作された世帯側の使用限度湯量を一定量増加させ、そして貯湯式給湯装置に使用限度湯量の増加分の沸き増し動作を行わせるようにしている。なお、貯湯式給湯装置の沸き増し量は使用限度湯量の増加分そのものでも良いし、増加分の熱量相当を沸き増すようにしても良い。
【００３３】
ここで、追加給湯スイッチ２０が操作された世帯が既に使用限度湯量を給湯した後で、電磁弁１２が閉じられている場合は、この電磁弁１２が開かれて一定量増加された使用限度湯量まで給湯可能とされる。
【００３４】
このように、来客等により多量のお湯を使用する場合には、追加給湯スイッチ２０を操作することにより使用限度湯量が一定量増加され、その日に使える湯量を使用限度湯量以上に増加させることができ、同時に貯湯式給湯機に所定の沸き増し動作を行わせるので、追加給湯スイッチ２０を操作していない世帯分の湯量を確実に確保することができる。さらに、一度使用限度湯量を給湯しきって電磁弁１２が閉じられていた場合は、この電磁弁１２を開いて給湯可能な状態に復帰させるものである。
【００３５】
なお、この一実施形態は２世帯を例に説明したが、図２に示すように３世帯で使用できるようにしても良い。また、貯湯式給湯機４としてヒートポンプ式給湯機を例示したが貯湯タンク内に電熱ヒータを設けた電気温水器であっても良い。また、警告表示部１７と停止表示部１８とを兼用するＬＥＤランプとしたが、例えば別々のＬＥＤランプで構成するようにしても良い。また、使用量積算部１４を給湯制御部５の時計機能によりリセットするようにしているが、制御部１３に給湯制御部５の時計機能とは別の時計機能を設け、この定刻信号でリセットさせても良く、また、制御部１３に２４時間タイマを設けてリセットさせるようにしても良い。
【００３６】
【発明の効果】
以上のように、本発明によれば、一方の世帯が使用限度湯量の給湯をした時点でこの世帯の給湯経路に設けられた電磁弁が閉じられることとなり、各世帯で使用限度湯量以上に湯を使うことを防ぎ、一方の世帯が多量に給湯したことにより他方の世帯が給湯できる湯量が少なくなってしまうことを防止することができ、１台の貯湯式給湯機を複数世帯で公平に使用することが可能となる。
【００３７】
また、使用湯量が毎日リセットされることとなり、一度使用限度湯量の給湯をしたとしても、翌日には使用湯量積算部がリセットされて電磁弁が開いて給湯を行うことができる。
【００３８】
また、各世帯では現在の使用湯量が表示器の湯量表示部にて確認可能で、使用者が計画的に給湯することの助けとなる。
【００３９】
また、表示部に停止表示部を設けているので、使用限度湯量を給湯して電磁弁が閉じられているために給湯することができないことを使用者に知らせることができる。
【００４０】
また、使用湯量が使用限度湯量未満の所定の警告湯量に達すると警告表示が行われるので、もうすぐ使用湯量が使用限度湯量になることを使用者に知らせることができる。
【００４１】
また、使用限度湯量変更手段を設けているので、貯湯式給湯機の貯湯容量が異なる複数の種類のものにも使用限度湯量変更手段の設定を変更することで対応することが可能となる。
【００４２】
また、追加給湯スイッチを操作することにより使用限度湯量が一定量増加され、その日に使える湯量を使用限度湯量以上に増加させることができると共に、一度使用限度湯量を給湯しきって電磁弁が閉じられていた場合は、この電磁弁を開いて給湯可能な状態に復帰させ、同時に貯湯式給湯機に所定の沸き増し動作を行わせるので、追加給湯スイッチを操作していない世帯分の湯量を確実に確保することができる。
【図面の簡単な説明】
【図１】本発明の一実施形態の概略構成図。
【図２】本発明の他の一実施形態の概略構成図。
【符号の説明】
４  貯湯式給湯機
９  給湯経路
１０  給湯分配装置
１１  流量センサ
１２  電磁弁
１３  制御部
１４  使用湯量積算部
１５  表示器
１６  湯量表示部
１７  警告表示部
１８  停止表示部
１９  使用限度湯量変更手段
２０  追加給湯スイッチ
【図１】
2004340457.tif 000003
【図２】
2004340457.tif 000004